(57)【特許請求の範囲】
【請求項１】
ロータの鉄心にファン取付用の突起部を設け、この突起部に冷却ファンを取り付け、冷却ファンの回転によってモーター内部を冷却するようにしたモーターの冷却ファンの取付構造であって、複数の鉄片が積層されて鉄心が構成されており、ファン取付け側の鉄片の延設部にファン取付用の突起部を切り起こして形成すると共に突起部を切り起こした後の鉄片の孔部を冷却ファンの位置決め部として用いることを特徴とするモーターの冷却ファンの取付構造。
【請求項２】
ファン取り付け側の鉄片の延設部の延長上にファン取付用の突起部が設けられ、この突起部の幅寸法を延設部の幅寸法よりも幅広としたことを特徴とする請求項１記載のモーターの冷却ファンの取付構造。
【発明の詳細な説明】
【０００１】
【発明の属する技術分野】
本発明は、モーターの冷却ファンの取付構造に関し、詳しくは例えばモーター内部を冷却するための冷却ファンを固定する技術に関するものである。
【０００２】
【従来の技術】
従来、ロータの鉄心に冷却ファンを固定し、冷却ファンの回転によってモーター内部を冷却するようにした小型モーターにおいて、冷却ファンを鉄心に取り付ける方法として接着剤による接着が多く用いられているが、接着剤の塗布、乾燥、固化等の作業が煩雑である上に、温度上昇によって冷却ファンが外れる可能性があった。
【０００３】
そこで他の方法として、例えば実開平２−１４２９６２号公報には、鉄心の端部に複数の突起部を備えたリング状の端部コアを取り付け、この端部コアに冷却ファンを係止させることによって、冷却ファンを鉄心に対して機械的に固定する方法が開示されている。
【０００４】
【発明が解決しようとする課題】
ところが、上記実開平２−１４２９６２号公報に開示された方法では、突起部を有するリング状の端部コアは鉄心とは別部材で構成されているため、鉄心に端部コアを取り付ける作業と、リング状の端部コアに冷却ファンを取り付ける作業とが必要となり、作業が煩雑になる上に、突起部の強度を確保するために端部コアのリング幅を広くとらなければならず、これに伴って鉄心の巻線スペースが狭くなるという問題もある。
【０００５】
本発明は、上記の従来例の問題点に鑑みて発明したものであって、その目的とするところは、ファン取付用の突起部の形成の容易化を図ることができると共に、鉄心の巻線スペースの減少を防止できるようにしたモーターの冷却ファンの取付構造を提供するにある。
【０００６】
【課題を解決するための手段】
上記課題を解決するために本発明は、ロータ１の鉄心２にファン取付用の突起部４を設け、この突起部４に冷却ファン１０を取り付け、冷却ファン１０の回転によってモーターＡ内部を冷却するようにしたモーターの冷却ファンの取付構造であって、複数の鉄片３が積層されて鉄心２が構成されており、ファン取付け側の鉄片３の延設部５にファン取付用の突起部４を切り起こして形成すると共に突起部４を切り起こした後の鉄片３の孔部６を冷却ファン１０の位置決め部として用いることを特徴としており、このように構成することで、従来の鉄心２とは別体のリング状の端部コアなどを用いることなく、冷却ファン１０を鉄心２に対して機械的に固定することが可能となり、しかも、ファン取付用の突起部４はファン取り付け側Ｂの鉄片３に一体に設けられているので、部品点数を削減でき、モーターＡの組立ての簡素化及び低コスト化を図ることができる。
【０００７】
また上記ファン取付用の突起部４は、ファン取り付け側Ｂの鉄片３を切り起こして形成されているので、鉄片３にファン取付用の突起部４を設けた構造でありながら、鉄心２を構成する各鉄片３の形状を統一することが可能となる。
【０００８】
また上記ファン取付用の突起部４を切り起こした後の鉄片３の孔部６を冷却ファン１０の位置決め部として用いるので、突起部４を切り起こした後に生じる鉄片３の孔部６を利用して、突起部４の回転方向Ｃに対する冷却ファン１０の位置決めが可能となる。
【００１０】
また上記ファン取り付け側Ｂの鉄片３の延設部５の延長上にファン取付用の突起部４が設けられ、この突起部４の幅寸法ｂを延設部５の幅寸法ａよりも幅広とするのが好ましく、この場合、突起部４の強度が向上し、突起部４による冷却ファン１０の回転方向Ｃの抜け止めが強固に行われる。
【００１１】
【発明の実施の形態】
以下、本発明を添付図面に示す実施形態に基づいて説明する。
【００１２】
本実施形態のモーターＡは、図１〜図４に示すように、中空円筒状に形成されたモーターケース８と、モーターケース８の内側に固着されたマグネットからなる固定子９と、固定子９に対応して回転するロータ１と、鉄心２に取り付けられて鉄心２と一体に回転する冷却ファン１０と、鉄心２に巻かれたコイル１１に電気的に接続される整流子１２と、整流子１２に給電する給電ブラシ１３等で構成されている。なお図１中の１４は給電ブラシ１３を保持する絶縁板、１５は絶縁板１４を保持する軸受台、１６は軸受、１７はロータシャフトであり、図２中の４０はブラシホルダーである。
【００１３】
ロータ１の鉄心２は、多数枚の鉄片３がロータシャフト１７の軸方向Ｓに積層されて構成されている。この鉄心２のファン取り付け側Ｂ（図５のブッシュ１８とは反対側）の端部に位置する１枚の鉄片３の延設部５には、ファン取付用の突起部４が一体に設けられており、この突起部４に冷却ファン１０が取り付けられている。本例では図５（ａ）に示すように、ファン取り付け側Ｂの１枚の鉄片３における３つの延設部５にファン取付用の突起部４がそれぞれ設けられている。
【００１４】
冷却ファン１０は、図４に示すように、リング状に形成された取り付け部１９と、この取り付け部１９に一体に突設された複数の羽根部２０とからなり、リング状の取り付け部１９の３箇所に上記鉄片３から折り曲げられた３つの突起部４がそれぞれ係止されるようになっている。
【００１５】
しかして、ファン取り付け側Ｂの１枚の鉄片３を折り曲げてファン取付用の突起部４を形成し、冷却ファン１０のリング状の取り付け部１９を該鉄片３に沿わせた状態で、突起部４の先端をさらに外側に折り曲げて取り付け部１９に係止させることで、突起部４全体が逆Ｌ字状となり、冷却ファン１０が鉄心２に対して固定される。これによりロータ１が回転すると、冷却ファン１０も回転するから、モーターケース８に穿設された通気孔２２から空気が吸引されてコイル１１その他の構成部材が冷却されるようになる。従って、本発明では従来のような鉄心２とは別体のリング状の端部コアなどを用いることなく、冷却ファン１０を鉄心２に対して機械的に固定することが可能となり、しかも、ファン取付用の突起部４は鉄片３と一体に設けられているので、部品点数を削減でき、小型高出力のモーターＡの冷却効率アップを図ることができる。そのうえ従来の接着剤のみの固定において問題となる温度上昇によって冷却ファン１０が外れる可能性も生じないものである。
【００１６】
図６〜図８はファン取り付け側Ｂの鉄片３の延設部５を切り起こしてファン取付用の突起部４を形成する場合を示している。他の構成は図１〜図５の実施形態と同様であり、異なる点だけを述べる。本例では、ファン取り付け側Ｂの１枚の鉄片３の延設部５を外側に略直角に切り起こしてファン取付用の突起部４とし、冷却ファン１０のリング状の取り付け部１９を該鉄片３に沿わせた状態で、突起部４の先端をさらに外側に折り曲げて取り付け部１９に係止させることで、突起部４全体が略コ字状となり、冷却ファン１０を鉄心２に対して固定することができる。従って、図１〜図５と同様な作用効果に加えて、最もファン取り付け側Ｂに位置する１枚の鉄片３を切り起こすことによって、他の鉄片３で邪魔されることなく、突起部４を簡単に形成できる。そのうえ突起部４が設けられる鉄片３と他の鉄片３との形状等を統一できるので、鉄心２の製作が容易となる。
【００１７】
図９、図１０は、ファン取付用の突起部４を切り起こした後の鉄片３の孔部６を冷却ファン１０の位置決め部として用いる場合を示している。他の構成は図６〜図８の実施形態と同様であり、異なる点だけを述べる。本例では、ファン取り付け側Ｂの鉄片３をＬ字状に切り起こした後の鉄片３の孔部６に、冷却ファン１０に設けた位置決め凸部２３を係合させるようにしている。これにより、突起部４の回転方向Ｃに対して冷却ファン１０の位置決めが行われ、冷却ファン１０の回転方向の抜け止めが行われるようになり、冷却ファン１０を確実に固定できるようになる。
【００１８】
図１１〜図１３は、ファン取り付け側Ｂの鉄片３の径方向Ｒの先端から突片７を予め突設させ、この突片７を折り曲げてファン取付用の突起部４とした場合を示している。他の構成は図１〜図５の実施形態と同様であり、異なる点だけを述べる。本例では、突片７をファン取り付け側Ｂの鉄片３の径方向Ｒの先端から突出させ、この突片７を図１３の矢印イで示す内側に折り曲げ、さらに先端を内側に折り曲げることで、冷却ファン１０のリング状の取り付け部１９の外周部に突起部４を係止させることができ、突起部４の折り曲げ作業及び冷却ファン１０への突起部４の係止作業がそれぞれ容易となり、そのうえ突起部４は鉄心２の外周端部に位置しているので巻線スペースを広く確保できるという利点もある。
【００１９】
図１４〜図１６は、ファン取り付け側Ｂの鉄片３の延設部５の延長上にファン取付用の突起部４を設けると共に、突起部４の幅寸法ｂを延設部５の幅寸法ａよりも幅広（ａ＜ｂ）とした場合を示している。他の構成は図１〜図５の実施形態と同様であり、異なる点だけを述べる。本例では、ファン取り付け側Ｂの鉄片３の延設部５の延長上に設けた横長部２４からファン取付用の突起部４が切り起こし形成されている。突起部４の幅寸法ｂは鉄心２の延設部５の幅寸法ａよりも大きく設定されており、この幅広の突起部４を冷却ファン１０のリング状の取り付け部１９に係止させることによって、突起部４の取り付け強度が向上し、突起部４による冷却ファン１０の回転方向Ｃの抜け止めが強固に行われ、鉄心２に対して冷却ファン１０を確実に固定できるようになる。
【００２０】
本発明のモーターＡは、電動工具等の小型高出力モーターなどに最適に使用されるものである。
【００２１】
【発明の効果】
上述のように請求項１記載の発明にあっては、ロータの鉄心にファン取付用の突起部を設け、この突起部に冷却ファンを取り付け、冷却ファンの回転によってモーター内部を冷却するようにしたモーターの冷却ファンの取付構造であって、複数の鉄片が積層されて鉄心が構成されており、ファン取付け側の鉄片の延設部にファン取付用の突起部を切り起こして形成すると共に突起部を切り起こした後の鉄片の孔部を冷却ファンの位置決め部として用いるので、従来のような鉄心とは別体のリング状の端部コアなどを用いることなく、冷却ファンを鉄心に対して機械的に固定することが可能となる。しかもファン取付用の突起部はファン取り付け側の鉄片に一体に設けられているので、部品点数を削減でき、モーターの組立ての簡素化及び低コスト化を図ることができると共に、従来の接着剤のみの固定において問題となる温度上昇によって冷却ファンが外れる可能性も生じないものである。
【００２２】
また上記ファン取付用の突起部は、ファン取り付け側の鉄片を切り起こして形成されているので、鉄片にファン取付用の突起部を設けた構造でありながら、鉄心を構成する各鉄片の形状を統一することが可能となり、鉄心の製作が容易となる。
【００２３】
また上記ファン取付用の突起部を切り起こした後の鉄片の孔部を冷却ファンの位置決め部として用いているので、突起部を切り起こした後に生じる鉄片の孔部を利用して冷却ファンを位置決めすることができるので、部品点数を増加させることなく、突起部の回転方向に対する冷却ファンの位置決めが確実に行われるようになる。
【００２５】
また請求項２記載の発明は、請求項１記載の効果に加えて、ファン取り付け側の鉄片の延設部の延長上にファン取付用の突起部が設けられ、この突起部の幅寸法を延設部の幅寸法よりも幅広としたので、突起部の強度が向上し、突起部による冷却ファンの回転方向の抜け止めが強固に行われ、鉄心に対して冷却ファンをより確実に固定できるものである。
【図面の簡単な説明】
【図１】本発明の実施形態の一例を示す断面図である。
【図２】図１の右側面図である。
【図３】同上のロータの組立て状態を説明する断面図である。
【図４】図３の右側面図である。
【図５】（ａ）は同上のファン取付用の突起部を説明する正面図、（ｂ）は側面図である。
【図６】他の実施形態を示し、図７のＡ−Ａ線断面図である。
【図７】図６の右側面図である。
【図８】（ａ）は同上のファン取付用の突起部を説明する正面図、（ｂ）は側面図である。
【図９】更に他の実施形態の断面図である。
【図１０】（ａ）は図９の右側面図、（ｂ）は（ａ）のＧ−Ｇ線断面図である。
【図１１】更に他の実施形態を示し、図１２のＢ−Ｂ線断面図である。
【図１２】図１１の右側面図である。
【図１３】（ａ）は同上のファン取付用の突起部を説明する正面図、（ｂ）は側面図である。
【図１４】更に他の実施形態を示し、図１５のＣ−Ｃ線断面図である。
【図１５】図１４の右側面図である。
【図１６】（ａ）は同上のファン取付用の突起部を説明する正面図、（ｂ）は側面図である。
【符号の説明】
１  ロータ
２  鉄心
３  鉄片
４  ファン取付用の突起部
５  延設部
６  孔部
７  突片
１０  冷却ファン
Ａ  モーター
Ｂ  ファン取り付け側
Ｒ  径方向
ａ  延設部の幅寸法
ｂ  突起部の幅寸法
【図１】
0003780743.tif 000002
【図２】
0003780743.tif 000003
【図３】
0003780743.tif 000004
【図４】
0003780743.tif 000005
【図５】
0003780743.tif 000006
【図６】
0003780743.tif 000007
【図７】
0003780743.tif 000008
【図８】
0003780743.tif 000009
【図９】
0003780743.tif 000010
【図１０】
0003780743.tif 000011
【図１１】
0003780743.tif 000012
【図１２】
0003780743.tif 000013
【図１３】
0003780743.tif 000014
【図１４】
0003780743.tif 000015
【図１５】
0003780743.tif 000016
【図１６】
0003780743.tif 000017